(57)【要約】      （修正有）【課題】噴霧領域から離れた箇所に設置しても、柔軟な延長チューブの噴霧部を意図する箇所で意図する方向に向けて安定性よく位置決めすることを可能にするエアゾール容器内容物噴霧用延長チューブの固定治具を提供する。【解決手段】柔軟な延長チューブ６０を保持可能で曲げ変形可能な細長管５０と、細長管５０の軸方向任意箇所を保持する細長管保持機構Ｃを有する貼り付け固定可能な治具本体２０と、からなる。細長管保持機構Ｃが、基板２１とフック部２２とでなる。延長チューブ６０の噴霧部６１が噴霧ノズルでなり、延長チューブ６０に、エアゾール容器に装備されている内容物吐出口に対する接続口部が備わっている。【選択図】図５
0003228740.tif 000002
【実用新案登録請求の範囲】
【請求項１】
エアゾール容器内容物噴霧用延長チューブの先端に取り付けられた噴霧部を位置決めするための固定治具であって、
延長チューブが挿通可能で有ると共に、曲げ変形可能で曲げ後の形状を保持する自己保形性を有する細長管と、この細長管の軸方向任意箇所を保持する細長管保持機構を有してエアゾール容器内容物の噴霧領域近傍の任意箇所に貼り付け固定可能な治具本体と、からなるエアゾール容器内容物噴霧用延長チューブの固定治具。
【請求項２】
治具本体が、樹脂で一体成形された基板とこの基板の表面側に設けられて前記基板と協働して細長管保持機構を形成するフック部とにより構成され、前記基板の裏面側に設けられた粘着層により噴霧領域近傍の任意箇所に貼り付け固定可能である、請求項１に記載したエアゾール容器内容物噴霧用延長チューブの固定治具。
【請求項３】
フック部が、基板から立ち上げられた板片状の立上り部と、この立上り部から基板に沿う方向に延び出て基板と協働して細長管を基板の板面に直交する方向で弾圧挟持する突出片部と、この突出片部及び基板のうちの少なくとも一方側に設けられて上記立上り部と協働して細長管を基板に沿う方向で挟持する山形膨出状の係合部と、を有する請求項１又は請求項２に記載したエアゾール容器内容物噴霧用延長チューブの固定治具。
【請求項４】
細長管が金属管でなる請求項１乃至請求項３のいずれか１項に記載したエアゾール容器内容物噴霧用延長チューブの固定治具。
【考案の詳細な説明】
【技術分野】
【０００１】
本考案は、エアゾール容器内容物噴霧用延長チューブの固定治具、特に、柔軟な延長チューブの噴霧部を意図する箇所に位置決めしたり噴霧部からの噴霧方向を安定させたりするための対策が講じられたエアゾール容器内容物噴霧用延長チューブの固定治具に関する。
【背景技術】
【０００２】
図７は従来から行われている噴霧方法を例示した説明図である。同図は、自動車のグローブボックスの蓋を取り外すことによって露出するエアコンユニットの開口部分に、エアゾール容器の内容物である消臭剤や殺菌剤などの薬剤を噴霧している状態を示している。同図において、１はエアコンユニットの開口部分、１００はエアゾール容器をそれぞれ示している。この噴霧方法では、片手に持ったエアゾール容器１００の押し釦１２０に備わっている噴霧部（噴霧ノズル）を上記開口部分１にその近くで臨ませた後、押し釦１２０を押し下げることによって噴霧部から薬剤を開口部分１に噴霧する、という手順が行われる。
【０００３】
また、従来から行われている他の噴霧方法では、エアゾール容器の噴霧用延長チューブの噴霧部を車両のエアコン吸入部に臨ませるために、延長チューブの先端近傍箇所を保持させた保持部材を、車両のエアコン吸入部の縁に両面テープで貼り付けておくことも行われていた。
【０００４】
一方、先行例では、噴霧容器の噴霧釦に接続されている一定長のノズルパイプを、釦保護キャップの外側まで伸ばして使用することが記載されている（特許文献１参照）。また、他の先行例には、エアゾール式噴霧装置を用いて自動車室内の噴霧操作を行う際に、扉や窓枠の外側にエアゾール式噴霧装置を設置し、この噴霧装置の噴霧口を有する樹脂製チューブを扉などの隙間から噴霧区域である車内に挿入することが記載されている。また、この先行例には、両面テープを用いて扉などに貼り付けた係合具及び係止具によって噴霧装置を扉などの外側に設置することも記載されている（特許文献２参照）。
【先行技術文献】
【特許文献】
【０００５】
【特許文献１】特開昭５７−２０４２５６号公報
【特許文献２】特開２００２−１１３９７合公報
【考案の概要】
【考案が解決しようとする課題】
【０００６】
しかしながら、図７に示した従来の噴霧方法では、意図する噴霧領域に薬剤を噴霧することが容易ではあるものの、手が動いて噴霧方向が不安定になりやすく、特に９０秒程度の連続噴霧を行うことを要するときなどにはその傾向が顕著になる。このような状況は、特許文献１に記載されている先行例の噴霧容器を用いるときにも同様に起こり得る。他の先行例には、樹脂製チューブを扉などの隙間から車内に挿入することによって噴霧操作を行うことが開示されているだけであり、車内での噴霧領域を意図する箇所に定めたり長い樹脂製チューブからの噴霧方向を安定させることについては何も説明されていない。
【０００７】
また、従来の他の噴霧方法では、車両のエアコン吸入部の縁の形状によっては、延長チューブの先端近傍箇所を保持させた保持部材を両面テープで貼り付けることが困難であったり貼り付けることができなかったりすることがある。
【０００８】
本考案は、以上の状況に鑑みてなされたものであり、エアゾール容器内容物噴霧用の延長チューブの先端に取り付けられた噴霧部を意図する箇所で意図する方向に向けて安定性よく位置決めすることが可能な固定治具を提供することができるだけでなく、固定治具を貼り付けて固定する箇所が噴霧領域から離れた箇所にしかない場合であっても、固定治具をそのような噴霧領域から離れた箇所に貼り付けた上で、延長チューブの先端に取り付けられた噴霧部を意図する箇所で意図する方向に向けて安定性よく位置決めすることのできる固定治具を提供することを目的としている。
【課題を解決するための手段】
【０００９】
本考案に係るエアゾール容器内容物噴霧用延長チューブの固定治具は、エアゾール容器内容物噴霧用延長チューブの先端に取り付けられた噴霧部を位置決めするための固定治具であって、延長チューブが挿通可能で有ると共に、曲げ変形可能で曲げ後の形状を保持する自己保形性を有する細長管と、この細長管の軸方向任意箇所を保持する細長管保持機構を有してエアゾール容器内容物の噴霧領域近傍の任意箇所に貼り付け固定可能な治具本体と、からなる。
【００１０】
このように構成された固定治具によると、細長管に挿通された柔軟な延長チューブが細長管により支えられて細長管と同様の形状に保たれる。このため、細長管に挿通させた延長チューブの先端の噴霧部の取付箇所付近を細長管の先端部分に位置させておくと、細長管の配備箇所に応じて延長チューブの先端の噴霧部が位置決めされる。一方、細長管はその軸方向任意箇所を治具本体の細長管保持機構によってこの治具本体に保持させておくことができ、しかも、治具本体はエアゾール容器内容物の噴霧領域近傍の任意箇所に貼り付け固定可能であるために、そのような任意の貼り付け可能な箇所に治具本体を貼り付けて固定しておくと、たとえ治具本体の貼り付けが噴霧領域の直近位置でなくても、噴霧部を意図する箇所で意図する方向に向けて位置決めすることができるようになる。また、細長管の自己保形性を活用して細長管を屈曲形状又は湾曲形状に曲げて噴霧部の位置や向きを意図する通りに変えることもできる。したがって、この考案によると、治具本体を貼り付けられる箇所が噴霧領域から離れた箇所にしかない場合であっても、治具本体をそのような噴霧領域から離れた箇所に貼り付けた上で、延長チューブの先端に取り付けられた噴霧部を意図する箇所で意図する方向に向けて安定性よく位置決めすることができるようになる。
【００１１】
本考案では、治具本体が、樹脂で一体成形された基板とこの基板の表面側に設けられて前記基板と協働して細長管保持機構を形成するフック部とにより構成され、前記基板の裏面側に設けられた粘着層により噴霧領域近傍の任意箇所に貼り付け固定可能である、という構成を採用することができる。
【００１２】
この構成によれば、治具本体を構成している基板とフック部とを樹脂の一体成型品として安価に提供することができる。また、治具本体の細長管保持機構により、細長管が治具本体に保持され、粘着層により治具本体を噴霧領域近傍の任意箇所に貼り付け固定可能であることにより、延長チューブの先端に取り付けられた噴霧部を位置決めすることができる。
【００１３】
本考案では、フック部が、基板から立ち上げられた板片状の立上り部と、この立上り部から基板に沿う方向に延び出て基板と協働して細長管を基板の板面に直交する方向で弾圧挟持する突出片部と、この突出片部及び基板のうちの少なくとも一方側に設けられて上記立上り部と協働して細長管を基板に沿う方向で挟持する山形膨出状の係合部と、を有する、という構成を採用することができる。
【００１４】
この構成によれば、細長管が互いに直交する２方向で治具本体によって挟持されるため、細長管が治具本体から脱落するという事態が起こりにくい。
【００１５】
細長管が金属管でなることが望ましい。これによれば、細長管による自己保形性が発揮されやすい。
【考案の効果】
【００１６】
以上のように本考案によれば、エアゾール容器内容物噴霧用の延長チューブの先端に取り付けられた噴霧部を意図する箇所で意図する方向に向けて安定性よく位置決めすることが可能であり、しかも、当該固定治具の治具本体を貼り付けられる箇所が噴霧領域から離れた箇所にしかない場合であっても、治具本体をそのような噴霧領域から離れた任意の箇所に貼り付けた上で、延長チューブの先端に取り付けられた噴霧部を意図する箇所で意図する方向に向けて安定性よく位置決めすることができるようになる。したがって、自動車のエアコンユニットの開口部分に、エアゾール容器の内容物である消臭剤や殺菌剤などの薬剤を噴霧するようなときに、噴霧領域を意図する箇所に定めることが容易であり、特に９０秒程度の連続噴霧を行うことを必要とするときなどでも安定した噴霧作業を行うことができる。しかも、エアコン吸入部の縁の形状の如何にかかわらず、噴霧領域近傍の任意箇所に治具本体を貼り付けて固定して使用することができるという利便性がある。
【図面の簡単な説明】
【００１７】
【図１】本考案の実施形態に係る治具本体の概略斜視図である。
【図２】同実施形態に係る延長チューブが挿通された細長管を側面視で示した説明図である。
【図３】延長チューブとエアゾール容器の内容物吐出口との接続状態説明図である。
【図４】同実施形態に係る治具本体の一部を拡大して側面視で示した説明図である。
【図５】固定治具の使用状態説明図である。
【図６】治具本体２０の変形例を示した概略斜視図である。
【図７】従来の噴霧方法を例示した説明図である。
【考案を実施するための形態】
【００１８】
図１は本考案の実施形態に係る治具本体２０の概略斜視図、図２は同実施形態に係る延長チューブ６０が挿通された細長管５０を側面視で示した説明図、図３は延長チューブ６０とエアゾール容器１００の内容物吐出口１１０との接続状態説明図、図４は同実施形態に係る治具本体２０の一部を拡大して側面視で示した説明図、図５は固定治具１０の使用状態説明図である。
【００１９】
図１に示した治具本体２０は、略矩形の平坦な基板２１とこの基板２１の表面側に設けられたフック部２２とを一体に有する。図例のフック部２２は、基板２１から立ち上げられた板片状の立上り部２３と、この立上り部２３から基板２１に沿う方向Ａに延び出た板片状の突出片部２４と、この突出片部２４の先端部に設けられて基板２１側に向けて突き出た山形膨出状の第１係合部２５と、この第１係合部２５との対向位置で基板２１側に設けられて上記突出片部２４に向けて突き出た山形膨出状の第２係合部２６と、を有する。そして、基板２１とフック部２２とが樹脂で一体成形されている。このため、フック部２２の立上り部２３や突出片部２４には樹脂に特有の弾性が付与されている。
【００２０】
治具本体２０は図２に示した細長管５０と共に固定治具１０を構成しているのであって、治具本体２０には、細長管５０の軸方向任意箇所を保持する細長管保持機構Ｃが設けられている。治具本体２０の細長管保持機構Ｃは、上記した基板２１とフック部２２とにより構成されている。具体的には、細長管保持機構Ｃにおけるフック部２２の突出片部２４と基板２１との対向間隔、及び、フック部２２の立上り部２３と第１、第２の各係合部２５，２６との対向間隔が、細長管５０の外周直径寸法と同一かそれよりもやや狭くなっていて、細長管保持機構Ｃのフック部２２と基板２１とによる囲繞空間Ｓに嵌め込まれた細長管５０が、フック部２２の立上り部２３や突出片部２４によって発揮される樹脂に特有の弾性によって、基板２１に沿う方向Ａ及び基板２１の板面に直交する方向Ｂ（図１参照）の２方向で弾圧挟持されるようになっている。図４に拡大して示したように、第１係合部２５及び第２係合部２６は、上記した囲繞空間Ｓに嵌め込まれた細長管５０を、フック部２２の立上り部２３に押し付けることに役立つ押圧傾斜面２５ａ，２６ａと、細長管５０を仮想線で指示した位置から上記囲繞空間Ｓに矢印Ｘのように押し込むときに当該第１係合部２５及び第２係合部２６を乗り越えさせることに役立つ傾斜ガイド面２５ｂ，２６ｂとを備えている。したがって、この細長管保持機構Ｃによれば、細長管５０を上記囲繞空間Ｓに嵌め込みやすく、嵌め込まれた細長管５０が囲繞空間Ｓから容易に脱落しなくなるほか、囲繞空間Ｓに嵌め込まれた細長管５０を軸周りに回転させたり、軸方向に滑らせて保持位置を任意に変更したりすることを必要に応じて自由に行うことができるようになる、という作用が発揮される。
【００２１】
図２に示した細長管５０には、小口径アルミニウム管のように人力による曲げ変形が可能で曲げ後の形状を保持する自己保形性を有する柔鋼管が採用されている。また、この細長管５０に挿通される柔軟な延長チューブ６０には、先端に噴霧ノズルでなる噴霧部６１が装備され、基端側には図３に示したように接続口部６２が備わっている。細長管５０の内周径は延長チューブ６０の外周径と同等かそれより大きくなっている。このことにより、まっすぐな細長管５０に対して延長チューブ６０を無理なく挿通することができる。また、噴霧部６１の外径は細長管５０の内周径よりも大きい。このことにより、延長チューブ６０の先端が細長管５０から抜けることがない。この実施形態において、細長管５０の内周径や延長チューブ６０の外周径は共に３〜４ｍｍである。
【００２２】
この実施形態においては、長さが２５０〜３００ｍｍ程度の細長管５０が使用され、延長チューブ６０には、長さが６００〜９００ｍｍ程度の柔軟なＬＤＰＥ管が使用されている。図２のように、延長チューブ６０を挿通した細長管５０は、任意の箇所で人力で容易に図示のように屈曲状に曲げ変形することができるほか、湾曲状にも曲げ変形することが可能である。そして、細長管５０を曲げ変形すると、細長管５０に挿通されている延長チューブ６０も細長管５０と同様の形状に曲がってその形状がそのまま保持される。細長管５０に延長チューブ６０を挿通させる場合には、細長管５０に挿通させた延長チューブ６０の先端の噴霧部６１の取付箇所付近を細長管５０の先端部分に位置させておくことが望ましく、そのようにしておくと、細長管５０の配備箇所に応じて延長チューブ６０の先端の噴霧部６１が位置決めされる。
【００２３】
図５に示した固定治具１０の使用状態では、図７を参照して説明した自動車のエアコンユニットの開口部分１に延長チューブ６０の噴霧部６１が臨まされている。また、固定治具１０における治具本体２０の細長管保持機構Ｃを利用して、延長チューブ６０を挿通した細長管５０の１箇所が保持されていて、治具本体２０は、基板２１の裏面に保持させた粘着層２７を利用して噴霧領域である上記開口部分１の近傍の任意箇所に貼り付けて固定されている。さらに、延長チューブ６０の接続口部６２がエアゾール容器１００の内容物吐出口１１０に差し込み接続されている（図３参照）。この状態で、図３に仮想線で示されている押し釦１２０を押し下げると、エアゾール容器１００に備わっているバルブ（不図示）が開いて、内容物である消臭剤や殺菌剤などの薬剤が、延長チューブ６０を経て噴霧部６１からエアコンユニットの開口部分１の内部に噴霧されて噴霧作業が開始される。一定時間（たとえば９０秒程度）の連続噴霧を行うことを要するときには、エアゾール容器１００の押し釦１２０の押し下げ状態を、人力であるいはエアゾール容器１００に備わっている押し釦１２０の押下げ位置ロック機構（不図示）の作用によって一定時間の間継続する。
【００２４】
上記した使用状態において、噴霧部６１は、治具本体２０の細長管保持機構Ｃによる細長管５０の保持箇所を軸方向に滑らせて変更したり、細長管５０を軸周りで回転させたり、あるいは、細長管５０を曲げ変形させたりすることによって意図する箇所に容易に位置決めすることが可能である。また、細長管５０を保持している治具本体２０の貼り付け位置には、治具本体２０を貼り付けることが困難なエアコンユニットの開口部分１の縁２を避け、噴霧領域である開口部分１の近傍の任意箇所、たとえば開口部分１の下側の平坦面３を選択している。このように治具本体２０を開口部分１から離れた箇所に貼り付けておいても、噴霧部６１を先端に有する延長チューブ６０が治具本体２０に保持された細長管５０によって支えられているので、噴霧作業中の噴霧領域が意図する箇所に定まり、安定した噴霧作業が行われる。
【００２５】
図６は治具本体２０の変形例を示している。この治具本体２０は、上記した細長管保持機構Ｃを有するだけでなく、基板２１に柔軟な延長チューブを直接に保持させることのできる延長チューブ保持用孔部２８を併せ有している。この治具本体２０を備える固定治具によれば、細長管を用いる噴霧作業と細長管を用いずに延長チューブだけを用いる噴霧作業の両方で治具本体２０を共用することができるようになる。
【００２６】
上記した実施形態では、フック部２２に第１及び第２の２つの係合部２５，２６が備わっている事例を説明したけれども、係合部は突出片部２４及び基板２１のうちの少なくとも一方側だけに設けておくこともできる。
【符号の説明】
【００２７】
１０  固定治具
２０  治具本体
２１  基板
２２  フック部
２３  立上り部
２４  突出片部
２５  第１係合部
２６  第２係合部
５０  細長管
６０  延長チューブ
６１  噴霧部
６２  接続口部
Ｃ  細長管保持機構
１００  エアゾール容器
【図１】
0003228740.tif 000003
【図２】
0003228740.tif 000004
【図３】
0003228740.tif 000005
【図４】
0003228740.tif 000006
【図５】
0003228740.tif 000007
【図６】
0003228740.tif 000008
【図７】
0003228740.tif 000009